(57)【要約】【課題】  足裏にかかる負担が特に大きい競技にも対応し、足裏の安定を良好に図ることが可能なインソール用パーツ、およびインソールを提供する。【解決手段】  インソール用パーツ（１００）は、靴用のインソール（２００）の一部を構成するためのパーツであって、足裏の少なくとも一部に対向する底面部（１０）と、底面部（１０）の外縁から足側面に向けて立ち上がった立上がり部（２０）と、を有し、底面部（１０）または立上がり部（２０）の少なくとも一方において、ショパール関節（３５０）またはその近傍に対向する領域に肉厚部（３０）が設けられており、インソール（２００）は、インソール用パーツ（１００）を備える。【選択図】図４
2020141892.tif 000002
【特許請求の範囲】
【請求項１】
靴用のインソールの一部を構成するためのパーツであって、
足裏の少なくとも一部に対向する底面部と、
前記底面部の外縁から足側面に向けて立ち上がった立上がり部と、を有し、
前記底面部または前記立上がり部の少なくとも一方において、ショパール関節またはその近傍に対向する領域に肉厚部が設けられていることを特徴とするインソール用パーツ。
【請求項２】
前記肉厚部が、前記底面部から前記立上がり部に亘り連続して設けられている請求項１に記載のインソール用パーツ。
【請求項３】
上面視において、
前記底面部の中央部に厚み方向に開口する開口部を有する請求項１または２に記載のインソール用パーツ。
【請求項４】
上面視において、
踵と爪先とを結ぶ踵爪先ラインを中心にして足の内側に配置された内側片と足の外側に配置された外側片とを有する略Ｕ字状に構成されており、
前記内側片および前記外側片それぞれに、前記底面部および前記立上がり部が設けられている請求項１から３のいずれか一項に記載のインソール用パーツ。
【請求項５】
前記内側片における前記底面部および前記外側片における前記底面部は、前記ショパール関節またはその近傍において前記踵爪先ラインに向かって延出する関節支持片を有し、
前記内側片に設けられた関節支持片と、前記外側片に設けられた関節支持片とが、互いに近接または接合している請求項４に記載のインソール用パーツ。
【請求項６】
樹脂部材から構成され、
ショアＡ硬度が６０以上１００以下である請求項１から５のいずれか一項に記載のインソール用パーツ。
【請求項７】
請求項１〜６のいずれか一項に記載のインソール用パーツを備えることを特徴とするインソール。
【請求項８】
前記インソール用パーツが樹脂から構成されており、
前記インソール用パーツと、前記インソール用パーツ以外の第二樹脂領域とを含む樹脂部を備え、
前記インソール用パーツの硬度が、前記第二樹脂領域の少なくとも一部の硬度よりも高い請求項７に記載のインソール。
【請求項９】
前記インソール用パーツが、踵と爪先とを結ぶ踵爪先ラインを中心にして足の内側に配置された内側片と足の外側に配置された外側片とを有する略Ｕ字状に構成されており、
前記内側片と前記外側片との間の少なくとも一部に衝撃吸収部材が配置されている請求項７または８に記載のインソール。
【発明の詳細な説明】
【技術分野】
【０００１】
本発明は、インソール用パーツおよび上記インソール用パーツを備えるインソールに関する。
【背景技術】
【０００２】
靴の中敷きであるインソールは、当該靴を履いた際の動作のパフォーマンスを向上させ、あるいは足のトラブルを軽減させるなどの種々の機能向上を謳ったものが提案されている。
【０００３】
たとえば下記特許文献１には、靴中敷の本体部の足裏の踵を支える部分及びアーチを支える部分の外周縁部の内側領域の厚みを肉厚にしてサポートができるよう形成されるとともに、上記本体部の足裏の踵を支える部分及びアーチを支える部分の外周縁部の厚みを肉薄にして負荷がかかった時にしなるように形成された靴中敷が提案されている。当該靴中敷は、本体部の少なくとも足裏の踵を支える部分の裏面に衝撃吸収部材が圧着されている。特許文献１には、かかる靴中敷によれば、足裏のアーチを支える部分の形状が足のバランスを標準値に回復させる機能を有する形状に形成され、足裏の踵を支える部分の形状が足の安定性およびフィット感を高める機能を有する形状に形成されるので、違和感なくフィットし、理想的なアーチを維持することができ、疲労や障害を防ぐことができる、と説明されている。
【０００４】
また下記特許文献２には、靴内での移動を拘束される踵骨前部を足裏から支持するための踵骨前部支持凸部を備えた靴用インソールが提案されている。具体的には当該靴用インソールには、踵骨前部に対向する位置が最大肉厚部となり、当該位置から周囲に向かって下傾する態様が示されている。特許文献２には、かかる靴用インソールによれば、足の運動を許容した状態で、使用者の体重を支える要であって縦アーチや回内および回外運動に重要な役割をはたす踵骨前部を支持するので、踵骨が安定する等について記載されている。
【先行技術文献】
【特許文献】
【０００５】
【特許文献１】特開２０１６−１４６９７７号公報
【特許文献２】ＷＯ２０１４／２０３３９９号公報
【発明の概要】
【発明が解決しようとする課題】
【０００６】
ところで、踵への衝撃が特に大きい動作を行う際に用いられる運動靴は、さらに足裏の高度な安定が求められる。例えば、バトミントン、テニス、卓球などのステップを踏む動作が多い競技、またはバスケットボール、バレーボール若しくはハンドボールなどジャンプを頻回に行う競技などでは、足裏にかかる負担が特に大きい。そのため、このような競技に用いられる靴用のインソールは、踵部を含めた足裏の安定が強く求められる。
【０００７】
上述特許文献１、２に開示されたインソールを含む従来のインソールは、このようなステップやジャンプを頻回に行う競技に充分に対応しているとはいえなかった。
【０００８】
本発明は上述の課題に鑑みてなされたものである。即ち、本発明は、足裏にかかる負担が特に大きい競技にも対応し、足裏の安定を良好に図ることが可能なインソール用パーツ、およびインソールの提供を課題とする。
【課題を解決するための手段】
【０００９】
本発明のインソール用パーツは、靴用のインソールの一部を構成するためのパーツであって、足裏の少なくとも一部に対向する底面部と、上記底面部の外縁から足側面に向けて立ち上がった立上がり部と、を有し、上記底面部または上記立上がり部の少なくとも一方において、ショパール関節またはその近傍に対向する領域に肉厚部が設けられていることを特徴とする。
【００１０】
また本発明のインソールは、本発明のインソール用パーツを備えることを特徴とする。
【発明の効果】
【００１１】
上記構成を有する本発明のインソール用パーツは、ショパール関節またはその近傍に対向する領域に肉厚部が設けられている。そのため、上記インソール用パーツが設けられたインソールは、上記肉厚部によってショパール関節を下支えすることが可能である。このように下支えされたショパール関節は、激しい運動においてもブレが低減され、安定性が向上する。結果として本発明のインソール用パーツを用いたインソールは、足裏を良好に安定させることができる。
【図面の簡単な説明】
【００１２】
【図１】本発明の第一実施形態である右足用のインソール用パーツの上面図、並びに右側面図および左側面図である。
【図２】本発明の第一実施形態である左足用のインソール用パーツの下面斜視図である。
【図３】本発明の第一実施形態の変形例である左足用のインソール用パーツの下面斜視図である。
【図４】本発明の第二実施形態の右足用のインソールの下面図である。
【図５】図４に示すインソールのＩ−Ｉ端面図である。
【図６】図４に示すインソールのＩＩ−ＩＩ端面図である。
【図７】人間の右足の骨格の上面図である。
【発明を実施するための形態】
【００１３】
以下、本発明の実施形態について、図面を用いて説明する。すべての図面において、同様の構成要素には同一の符号を付し、重複する説明は適宜に省略する。尚、本発明の説明に関し用いる図面は、本発明および本発明に含まれる部材の寸法および形状を限定するものではない。
尚、本発明のインソール用パーツおよびインソールの上面とは、足裏に対向する面を指し、下面とは、地面に対向する面を指し、左右とは、本発明のインソールが用いられた靴を履いた使用者における左右と同方向を指し、内側とは両足が向かい合う側を意味し、外側とは、上記内側とは反対側を指す。
【００１４】
本発明の説明に際し、適宜、図７を用いる、図７は、人間の右足の骨格（右足骨格３００）の上面図である。人間の足は、多くの骨と関節から構成されている。具体的には、足指の先端部分から足の甲に向けて、末節骨３１２、中節骨３１４、基節骨３１６を有し、これらはまとめて趾骨３１０と呼ばれる。趾骨３１０より踵側には中足骨３２０があり、中足骨３２０より踵側には、内側から外側に向かって第一楔状骨３３１、第二楔状骨３３２、第三楔状骨３３３、立方骨３３４が並んでいる。第一楔状骨３３１、第二楔状骨３３２、第三楔状骨３３３の踵側端部と立方骨３３４の側面に対向する位置に舟状骨３３５が存在し、舟状骨３３５より踵側に距骨３３６があり、立方骨３３４の踵側に踵骨３３７が存在する。中足骨３２０と、第一楔状骨３３１、第二楔状骨３３２、および第三楔状骨３３３ならびに立方骨３３４と、の間にリスフラン関節３４０がある。また舟状骨３３５および立方骨３３４と、距骨３３６および踵骨３３７と、の間にショパール関節３５０がある。
リスフラン関節３４０は、これを構成する各骨の構造からショパール関節３５０よりも可動性が低いことが知られる。一方、ショパール関節３５０は、距骨関節３５２と踵立方関節３５４とから構成されており、この２つの関節は実質的に独立しており、それぞれに運動軸を有し、可動性も高い。
【００１５】
尚、本発明に関する下記の説明において「ショパール関節またはその近傍」とは、ショパール関節３５０の真下、またはショパール関節３５０と踵の中央部との間の領域、またはショパール関節３５０とリスフラン関節３４０との間であってショパール関節３５０寄りの領域のいずれか、またはこれらの領域を跨いだ位置を指すものとする。
【００１６】
＜第一実施形態＞
以下に本発明の第一実施形態にかかるインソール用パーツ１００について図１から３を用いて説明する。図１は、本発明の第一実施形態である右足用のインソール用パーツ１００の上面図（紙面中央）、並びに右側面図（紙面右側）および左側面図（紙面左側）である。図２は、本発明の第一実施形態である左足用のインソール用パーツ１００の下面斜視図である。図３は、本発明の第一実施形態の変形例である左足用のインソール用パーツ１００の下面斜視図である。
【００１７】
インソール用パーツ１００は、靴用のインソールの一部を構成するためのパーツである。図１に示すとおり、インソール用パーツ１００は、足裏の少なくとも一部に対向する底面部１０と、底面部１０の外縁から足側面に向けて立ち上がった立上がり部２０と、を有している。インソール用パーツ１００は、底面部１０または立上がり部２０の少なくとも一方において、ショパール関節３５０またはその近傍に対向する領域に肉厚部３０が設けられている。
【００１８】
本発明者は、インソールによる足裏の安定化に関し鋭意検討し、可動性が高く、実質的に二つの関節（距骨関節３５２および踵立方関節３５４）とからなるショパール関節３５０の安定化について着眼した。そして上述する肉厚部３０を設けることによって、可動性が高く運動軸を２本備える複雑なショパール関節３５０を下支えしてショパール関節３５０のブレを小さく抑え、これによって、ステップやジャンプを頻回に行う競技においても、足裏、特には踵の安定を良好に図り得ることを見出し、インソール用パーツ１００を完成した。したがって、インソール用パーツ１００は、任意のインソールのパーツとして用いられることによって、足裏にかかる負担が特に大きい競技にも対応し、足裏の安定を良好に図ることができる。本発明によれば、足裏の安定化が図られることによって、ジャンプ後の着地時などに踵に対し顕著な衝撃がかかった際にもトラブルが軽減され、また過回内および過回外の動きが抑制され安定性が高まる。また、インソール用パーツ１００を用いたインソールは、上述のとおり、ショパール関節３５０のブレを小さく抑え、踵の安定化を良好に図り得ることから、たとえば、踵から着地するヒールストライク走法を好むランナーの足を良好に保護することが可能である。
以下にインソール用パーツ１００の構成についてより詳細に説明する。
【００１９】
インソール用パーツ１００における底面部１０は、足裏の少なくとも一部に対向する。底面部１０が設けられる箇所は特に限定されず、実質的に足裏全面に対向していてもよいし、一部であってもよい。たとえば、底面部１０は、上面視において、踵からショパール関節３５０を超えて土踏まずの近傍までの一部または全面に設けられ、より具体的には、本実施形態では、踵からショパール関節３５０を超えて土踏まずの近傍までであって、足裏の外縁に沿った領域に底面部１０が設けられている。
ショパール関節３５０をより良好に下支えするという観点からは、このように底面部１０は、踵からショパール関節３５０を超え、爪先より手前（たとえば土踏まず近傍）で終端していることが好ましい。
【００２０】
底面部１０は、踵からショパール関節３５０を超えた領域における全面に設けられた態様（図示省略）であってもよいが、他の部材と組み合わせてより機能性の高いインソールを提供するという観点からは、図１に示すように、上面視において、底面部１０の中央部に厚み方向に開口する開口部４０が設けられるとよい。開口部４０にインソール用パーツ１００を構成する部材とは異なる部材を配置させることによって、所望の機能をさらにインソールに付加することが可能である。踵の充分な保護という観点からは、開口部４０は、少なくとも踵に対向する領域に設けられることが好ましい。
また特に、インソール用パーツ１００を適度に硬度の高い部材から構成する場合には、足裏の所定領域において幅方向に亘る全域にインソール用パーツ１００を配置するよりも、開口部４０を設けるとよい。開口部４０に、インソール用パーツ１００よりも硬度の低い部材を配置することによって、インソール用パーツ１００から足裏に対し付加される応力を適度に逃すとともに、関節（特にはショパール関節３５０）の運動を充分に許容することができる。
【００２１】
開口部４０は、図１、図２に示すように上面視において踵から爪先に向かって開放された半円形開口部４０ａであってもよいし、図３に示すように底面部１０に囲まれ閉じられた円形開口部４０ｂであってもよい。
【００２２】
本実施形態にかかるインソール用パーツ１００は、上面視において、踵と爪先とを結ぶ踵爪先ライン１０２を中心にして足の内側に配置された内側片５２と足の外側に配置された外側片５４とを有する略Ｕ字状に構成されている。そして、内側片５２および外側片５４それぞれに、底面部１０および立上がり部２０が設けられている。ここで踵爪先ライン１０２とは、踵と爪先間を結ぶ仮想線であって、厳密に位置取りされるものではなく、概ね踵と爪先を結んで足の内側と外側とを区別するラインである。
内側片５２および外側片５４は、踵の後方において連続し、それぞれ爪先方向に向かって延在しており、内側片５２と外側片５４との間であって上下方向において踵中央付近と対向する領域に開口部４０が設けられている。
【００２３】
上述のとおり略Ｕ字状に構成されたインソール用パーツ１００は、踵およびショパール関節３５０を保護するとともに、内側片５２と外側片５４との間に、インソール用パーツ１００とは異なる別の機能性部材を配置することが可能となり、インソールの機能性をより高めることが可能である。
また略Ｕ字状のインソール用パーツ１００は、内側片５２および外側片５４それぞれに肉厚部３０が設けられるとともに、内側片５２と外側片５４との間に開口部４０を構成する所定のクリアランス（間隔）が設けられている。そのため、かかるインソール用パーツ１００は、踵およびショパール関節３５０を保護するとともに、動作時に可動するショパール関節３５０の動きを充分に許容する。
【００２４】
本実施形態にかかる略Ｕ字状のインソール用パーツ１００では、内側片５２における底面部１０および外側片５４における底面部１０それぞれが、ショパール関節３５０またはその近傍において踵爪先ライン１０２に向かって延出する関節支持片６２を備える。内側片５２に設けられた関節支持片６２と、外側片５４に設けられた関節支持片６２とは、互いに近接または接合している。図１、図２は、向かい合う関節支持片６２、６２が近接する態様を示し、図３は、内側片５２における関節支持片６２と外側片５４における関節支持片６２とが接合した態様を示している。
【００２５】
関節支持片６２を備えるインソール用パーツ１００は、Ｕ字状でありながら、ショパール関節３５０をより充分に下支えすることができるため好ましい。特に、後述する肉厚部３０を、関節支持片６２まで拡張させることで、ショパール関節３５０をさらに充分に下支えすることができるため、より好ましい。
また、関節支持片６２を備えるインソール用パーツ１００によれば、図１から理解されるとおり、関節支持片６２と、これより踵方向に設けられた開口部４０の周囲に位置する底面部１０および立上がり部２０とから、略周方向に踵を包み込むよう支持することができるため、踵の安定性も良好である。
加えて、関節支持片６２を備えるインソール用パーツ１００と、関節支持片を有しないＵ字状のインソール用パーツ（図示省略）とにおいて、踵の安定性に関し同様の効果を得ようとした場合、関節支持片６２を備える本態様は、相対的に立上がり部の高さを適度に小さくしても踵を安定させることができる。その結果、インソールの厚みを適度に小さく抑えることができ、靴の軽量化や履き心地の向上を図ることができる。
【００２６】
肉厚部３０を除く底面部１０の厚みは特に限定されず、インソール用パーツ１００を構成する部材の種類や、インソール用パーツ１００が用いられる靴の用途などを勘案して適宜決定してよい。
【００２７】
次に肉厚部３０について説明する。
図１に示すとおり本実施形態におけるインソール用パーツ１００は、肉厚部３０が設けられている。肉厚部３０は、インソール用パーツ１００の上面側に設けられ、上方に緩やかに突出し、周囲の厚み寸法よりも肉厚に構成されている部分である。本実施形態における肉厚部３０は、距骨関節３５２および踵立方関節３５４、またはこれらの近傍に対向する領域に設けられており、ショパール関節３５０を全体的にバランスよく下支えすることができる。本実施形態における肉厚部３０は、インソール用パーツ１００を構成する部材と同じ部材により構成されている。肉厚部３０は、インソール用パーツ１００において、一連一体に形成されることができる。
【００２８】
肉厚部３０は、たとえば、ショパール関節３５０の真下を含む領域に設けられる。このとき、肉厚部３０の最大厚み部分は、ショパール関節３５０の真下であってもよいし、爪先側または踵側のいずれかに寄った位置にあってもよい。ショパール関節３５０の真下を含む領域に設けられた肉厚部３０は、ショパール関節３５０を直接的に下支えし、ショパール関節３５０のブレを良好に防止することができる。
【００２９】
また異なる態様として、肉厚部３０は、ショパール関節３５０と踵の中央部との間の領域に実質的に設けられ、肉厚部３０の最大厚み部分は、ショパール関節３５０と踵の中央部との間に位置していてもよい。かかる位置に肉厚部３０が設けられることで、特にヒールストライク時におけるショパール関節３５０のブレを良好に抑制することができる。尚、肉厚部３０は、ショパール関節３５０と踵の中央部との間の領域に実質的に設けられているとは、上下方向において、肉厚部３０とショパール関節３５０とが全く重なっていない態様だけではなく、肉厚部３０の外縁近傍がショパール関節３５０と重なっている態様のいずれも含むことを意味する。
【００３０】
肉厚部３０の最大厚み部分の寸法は、特に限定されないが、たとえば肉厚部３０が設けられていない底面部１０の平均厚みの１．５倍以上５．０倍以下であることが好ましい。上記最大厚み部分が、上記範囲内であることで、使用者に異物感を与えず、かつ良好にショパール関節３５０を保護することができる。尚、底面部１０の平均厚みとは、底面部１０の外縁近傍を除いた領域において無作為に選択された１０箇所において測定された底面部１０の実測値の算術平均値である。
【００３１】
肉厚部３０は、底面部１０または立上がり部２０の少なくともいずれか一方に設けられるが、本実施形態における肉厚部３０は、具体的には、底面部１０から立上がり部２０に亘り連続して設けられている。かかる構成では、肉厚部３０により、下側からだけでなく、側面側からもショパール関節３５０またはその近傍が支持されるため、ショパール関節３５０のブレをより良好に防止することができる。図示省略する変形例として、肉厚部３０は、底面部１０および立上がり部２０にそれぞれ独立して２箇所以上設けられてもよい。
本実施形態における肉厚部３０は、上述する関節支持片６２に亘り設けられている。
【００３２】
図１に示すとおり、肉厚部３０の外縁は不定形であってもよい。本実施形態における肉厚部３０は、外縁から中央部に向けて連続的に厚みが増大している。かかる様子は、後述するインソール２００に設けられたインソール用パーツ１００の断面（図５参照）から理解される。
【００３３】
インソール用パーツ１００は、上述する底面部１０の外縁から足側面に向けて立ち上がった立上がり部２０が設けられる。立上がり部２０は、底面部１０の外縁において連続的または断続的に設けられる。好ましくは、立上がり部２０は、踵側からショパール関節３５０を超えて爪先側まで連続して設けられるとよい。本実施形態では、具体的には、底面部１０の外縁全周に亘って連続的に立上がり部２０が設けられている。これにより立上がり部２０でショパール関節３５０を支えるとともに、踵まわりから爪先に向けて足側面の広域を支えることができるので、ショパール関節３５０のブレを良好に抑制するとともに足裏の安定化を良好に図ることができる。尚、ここでいう底面部１０の外縁とは、足側面に沿った外縁のみを指し、例えば、開口部４０に面する外縁までは含まない。
【００３４】
立上がり部２０の立ち上がり高さは、特に限定されず、また底面部１０の外縁に沿って略均一な高さであってもよいし、足の構造などを勘案して適宜デザインされてもよい。本実施形態では、ショパール関節３５０とリスフラン関節３４０との位置関係および足の内側のアーチの高さと外側のアーチの高さとの関係を考慮し、関節支持片６２より爪先側においては、内側片５２における立上がり部２０の最大高さが、外側片５４における立上がり部２０の最大高さより高く、関節支持片６２より踵側においては、内側片５２における立上がり部２０の最大高さが、外側片５４における立上がり部２０の最大高さよりも低い態様としている。これによって、ショパール関節３５０およびリスフラン関節３４０が良好に支持される。
【００３５】
立上がり部２０の厚みは、特に限定されないが、たとえば上述する底面部１０の厚み以下であることが好ましい。相対的に底面部１０の厚みを大きくすることで足裏の安定化を図るとともに、足側面においては使用者に違和感を与えない程度の厚みに留めることで履き心地の良いインソールを提供することができる。
【００３６】
図２、図３に示すとおり、本実施形態におけるインソール用パーツ１００の下面には、有底の凹部であるベンチレーション２５８が設けられている。たとえばベンチレーション２５８は、内側片５２および外側片５４それぞれにおいて複数配置してよく、本実施形態では、左右方向に伸長する線条凹部であるベンチレーション２５８が、踵爪先ライン１０２に沿って複数設けられている。ベンチレーション２５８を設けることで底面部１０の空気が抜け易く、またインソール用パーツ１００を適度に撓み易くさせることができる。空気抜きの観点からは、ベンチレーション２５８は主として底面部１０に設けられ、かつ、その端部が立上がり部２０に到達しているとよい。
【００３７】
インソール用パーツ１００は、樹脂部材から構成されることが好ましい。樹脂部材から構成されたインソール用パーツ１００の硬度は、インソールに用いられ得る一般的な樹脂部材の硬度より高いことが好ましい。具体的にはインソール用パーツ１００の硬度は、ショアＡ硬度が６０以上であることが好ましい。ショアＡ硬度が６０以上であることで、ショパール関節３５０の下支えの効果や踵の保護が充分に発揮され、また踵やショパール関節３５０をしっかりとホールドすることを可能にするが、かかる観点から上記ショアＡ硬度は、７０以上であることがより好ましい。また上記ショアＡ硬度は、１００以下であることが好ましい。ショアＡ硬度が１００以下であることで、ヒールストライク時に足を痛める虞がなく、また使用者に異物感を与えることがないが、かかる観点からは、上記ショアＡ硬度は、９０以下であることがより好ましい。
【００３８】
上述するショアＡ硬度は、ＪＩＳ  Ｋ  ６２５３に記載の測定方法に準じて測定される。  
【００３９】
インソール用パーツ１００を構成する樹脂は、特に限定されないが、たとえばウレタン系樹脂、エチレン-酢酸ビニル系樹脂、ＭＣナイロン（登録商標）等のポリアミド系樹脂、ポリカーボネート系樹脂、塩化ビニル系樹脂、ＡＢＳ系樹脂などが挙げられる。中でも、ウレタン系樹脂が足裏のサポート性、追従性、安定性に優れるという理由からインソール用パーツ１００を構成する樹脂として好ましい。
【００４０】
＜第二実施形態＞
以下に本発明の第二実施形態にかかるインソール２００について図４から６を用いて説明する。図４は、本発明の第二実施形態の右足用のインソール２００の下面図である。図５は、図４に示すインソール２００のＩ−Ｉ端面図であり、図６は、図４に示すインソール２００のＩＩ−ＩＩ端面図である。
【００４１】
インソール２００は、上述するインソール用パーツ１００を備える。かかるインソール２００は、上述するインソール用パーツ１００により奏される効果を享受するインソールを提供することができる。
【００４２】
本実施形態におけるインソール２００は、樹脂から構成されたインソール用パーツ１００と、インソール用パーツ１００以外の第二樹脂領域とを含む樹脂部２１０を備えている。上記第二樹脂領域は、１以上の領域であり、本実施形態では、具体的には第二樹脂領域Ａ２２３と第二樹脂領域Ｂ２２４を備えている。踵およびショパール関節３５０の安定化および衝撃吸収性がバランスよく発揮されるという観点からは、インソール用パーツ１００の硬度が、第二樹脂領域の少なくとも一部の硬度よりも高いことが好ましく、インソール用パーツ１００の硬度が、第二樹脂領域のいずれの部分の硬度よりも高いことがより好ましい。
【００４３】
本実施形態にかかるインソール２００は、踵と爪先とを結ぶ踵爪先ライン１０２を中心にして足の内側に配置された内側片５２と足の外側に配置された外側片５４とを有する略Ｕ字状に構成されたインソール用パーツ１００を備える。内側片５２と外側片５４との間の少なくとも一部に衝撃吸収部材２３０が配置されている。ヒールストライクの際の衝撃を吸収し、足の故障を防止するという観点からは、衝撃吸収部材２３０は、たとえば、踵部に設けられたインソール用パーツ１００の開口部４０に設けられているとよい。本実施形態では、衝撃吸収部材２３０は、開口部４０から、内側片５２と外側片５４の端部よりも爪先側まで延在している。
換言すると、本実施形態における衝撃吸収部材２３０から構成された第二樹脂領域Ａ２２３は、内側片５２と外側片５４との間であって踵部から土踏まずまで、または土踏まずよりも爪先側まで連続して延在している。かかる衝撃吸収部材２３０を備えるインソール２００は、インソール用パーツ１００の機能と相まって、より高い運動時のパフォーマンスを実現することが可能である。
【００４４】
本発明に関し衝撃吸収部材２３０とは、ショア００硬度が３０以上７５以下である軟質性の部材を指し、樹脂やエラストマーなどが挙げられ、特にポリウレタン系樹脂であることが好ましい。
衝撃吸収部材２３０を構成する樹脂の種類は特に限定されないが、軟質ポリウレタン系樹脂であることが好ましい。市販品としては、たとえば、三進興産株式会社製のソルボセイン（登録商標）などが挙げられる。尚、上記ショア００硬度は、ＡＳＴＭ  Ｄ  ２２４０に記載の測定方法に準じて測定される。
【００４５】
図５、６に示すとおり、本実施形態では、インソール用パーツ１００の肉厚部３０を除く底面部１０、および第二樹脂領域Ａ２２３（衝撃吸収部材２３０）は、略等しい厚みで形成されており、上下面ともに面一に構成されている。
換言すると、第二樹脂領域Ａ２２３（衝撃吸収部材２３０）と、インソール用パーツ１００の底面部１０とは、上下方向に重なりなく配置されている。相対的に硬質なインソール用パーツ１００と、第二樹脂領域Ａ２２３（衝撃吸収部材２３０）とが重ならないよう配置することで、インソール用パーツ１００によって衝撃吸収部材２３０衝撃の吸収効率が低減しないよう配慮されている。
【００４６】
本実施形態では、第二樹脂領域Ａ２２３（衝撃吸収部材２３０）とインソール用パーツ１００との間に境界溝２５２が設けられ、衝撃吸収部材２３０の側面とインソール用パーツ１００の側面とが実質的に接触しないよう構成されている。境界溝２５２の幅は、衝撃吸収部材２３０の厚み寸法などを勘案して適宜決定することができるが、たとえば０．５ｍｍ以上２０ｍｍ以下である。境界溝２５２の深さは、第二樹脂領域Ａ２２３（衝撃吸収部材２３０）の厚みと略等しい。境界溝２５２の底部は、第二樹脂領域Ａ２２３（衝撃吸収部材２３０）とインソール用パーツ１００とを上面側から覆う第二樹脂領域Ｂ２２４により構成されている。衝撃吸収部材２３０の側面と、隣り合うインソール用パーツ１００の側面との間にクリアランスを維持する境界溝２５２を設けることで、足裏に付加（衝撃）がかかった際に、衝撃吸収部材２３０が水平方向に伸長することを充分に許容し、衝撃吸収部材２３０の変形を妨げない。すなわち、衝撃吸収部材２３０の受圧面積が充分に確保されるため、衝撃吸収部材２３０の衝撃吸収性を良好に発揮させることができる。
【００４７】
第二樹脂領域Ｂ２２４は、インソール用パーツ１００および第二樹脂領域Ａ２２３を上面側から覆うよう設けられている。インソール２００を下面側からみたとき、第二樹脂領域Ｂ２２４は、インソール用パーツ１００および第二樹脂領域Ａ２２３より爪先側において露出している。下面側において、第二樹脂領域Ｂ２２４、インソール用パーツ１００および第二樹脂領域Ａ２２３は、面一に配置されている。
【００４８】
第二樹脂領域Ｂ２２４は、第一樹脂領域Ａ２２３と同様の部材から構成されてもよいが、上面側において足裏全体を支えることを考慮して、高反発部材により構成されることが好ましい。ここで、高反発部材とは、反発弾性率６０％以上を示す部材を指し、樹脂やエラストマーなどが挙げられる。より好ましい例としては軟質ポリウレタンが挙げられる。市販品としては、たとえば、三進興産株式会社製のソルビオン（登録商標）などが挙げられる。
なお、第二樹脂領域Ｂ２２４は、ショア００硬度が６０以上９０以下であることが好ましい。
【００４９】
上記反発弾性率は、ＪＩＳ  Ｋ  ６２５５に記載の測定方法に準じて測定される。
【００５０】
本実施形態では、第二樹脂領域Ｂ２２４と、インソール用パーツ１００および第一樹脂領域Ａ２２３との間にも境界溝２５２が設けられており、これら各領域は、側面において互いに非接触となるよう構成されている。
【００５１】
本実施形態では、第二樹脂領域Ｂ２２４の上面全面を覆う最表面層２４０が設けられている。最表面層２４０は、第二樹脂領域Ｂ２２４の保護、足裏への感触の配慮、あるいは足裏の水分の吸収などの機能を備える部材から構成されるとよい。具体的には、最表面層２４０を構成する部材としては、織物や編物などの布帛、人工皮革などが挙げられる。編物としては、パイル編み、カノコ編み、ダブルラッセル編みが好適である。
【００５２】
インソール２００の下面側には、任意の箇所に溝２５６が設けられてもよい。本実施形態では、中足骨３２０の中間部から爪先方向に向けて、左右方向に延在する溝２５６が、複数本設けられている。かかる溝２５６は、第二樹脂領域Ｂ２２４の下面側から上面側に向かって中間部まで形成された凹部である。溝２５６が設けられることで、インソール２００は、足裏の動作に沿って変形し易い。
また、溝２５６を設けることで、上記境界溝２５２を設けた場合と同様に、衝撃吸収部材２３０の変形を許容し衝撃撃吸収部材２３０の受圧面積が充分に確保されるため、衝撃吸収部材２３０の衝撃吸収性を良好に発揮させることができる。
【００５３】
インソール２００の下面側の爪先側には１本以上のサイズ調整線２５４が設けられている。これは、使用者の足のサイズに合わせてインソール２００の寸法を調整するための切断ラインである。かかるサイズ調整線２５４でインソール２００のサイズを調整するため、肉厚部３０は、必ずしも使用者の足裏の所定の位置（例えばショパール関節３５０の真下など）に対向しない場合にもある。しかし、肉厚部３０はショパール関節３５０の近傍に位置することで、当該ショパール関節３５０のブレを防止することができるため、使用者の足のサイズによって、肉厚部３０に位置が実質的に数ミリから１〜２ｃｍ程度ずれることは問題ない。
【００５４】
以上に本発明の実施形態について説明したが、本発明のインソール用パーツおよびインソールは、上述実施形態に制限されることなく、本発明の趣旨を逸脱しない範囲において種々異なる態様を包含する。
【００５５】
上記実施形態は、以下の技術思想を包含するものである。
（１）靴用のインソールの一部を構成するためのパーツであって、
足裏の少なくとも一部に対向する底面部と、
前記底面部の外縁から足側面に向けて立ち上がった立上がり部と、を有し、
前記底面部または前記立上がり部の少なくとも一方において、ショパール関節またはその近傍に対向する領域に肉厚部が設けられていることを特徴とするインソール用パーツ。
（２）前記肉厚部が、前記底面部から前記立上がり部に亘り連続して設けられている上記（１）に記載のインソール用パーツ。
（３）上面視において、
前記底面部の中央部に厚み方向に開口する開口部を有する上記（１）または（２）に記載のインソール用パーツ。
（４）上面視において、
踵と爪先とを結ぶ踵爪先ラインを中心にして足の内側に配置された内側片と足の外側に配置された外側片とを有する略Ｕ字状に構成されており、
前記内側片および前記外側片それぞれに、前記底面部および前記立上がり部が設けられている上記（１）から（３）のいずれか一項に記載のインソール用パーツ。
（５）前記内側片における前記底面部および前記外側片における前記底面部は、前記ショパール関節またはその近傍において前記踵爪先ラインに向かって延出する関節支持片を有し、
前記内側片に設けられた関節支持片と、前記外側片に設けられた関節支持片とが、互いに近接または接合している上記（４）に記載のインソール用パーツ。
（６）樹脂部材から構成され、
ショアＡ硬度が６０以上１００以下である上記（１）から（５）のいずれか一項に記載のインソール用パーツ。
（７）上記（１）〜（６）のいずれか一項に記載のインソール用パーツを備えることを特徴とするインソール。
（８）前記インソール用パーツが樹脂から構成されており、
前記インソール用パーツと、前記インソール用パーツ以外の第二樹脂領域とを含む樹脂部を備え、
前記インソール用パーツの硬度が、前記第二樹脂領域の少なくとも一部の硬度よりも高い上記（７）に記載のインソール。
（９）前記インソール用パーツが、踵と爪先とを結ぶ踵爪先ラインを中心にして足の内側に配置された内側片と足の外側に配置された外側片とを有する略Ｕ字状に構成されており、
前記内側片と前記外側片との間の少なくとも一部に衝撃吸収部材が配置されている上記（７）または（８）に記載のインソール。
（１０）前記衝撃吸収部材と、前記インソール用パーツとは、上下方向に重なりなく配置されている上記（９）に記載のインソール。
（１１）前記衝撃吸収部材と前記インソール用パーツとの間に溝が設けられ、当該衝撃吸収部材の側面と前記インソール用パーツの側面とが実質的に非接触である上記（１０）に記載のインソール。
【符号の説明】
【００５６】
１０・・・底面部
２０・・・立上がり部
３０・・・肉厚部
４０・・・開口部
４０ａ・・・半円形開口部
４０ｂ・・・円形開口部
５２・・・内側片
５４・・・外側片
６２・・・関節支持片
１００・・・インソール用パーツ
１０２・・・踵爪先ライン
２００・・・インソール
２１０・・・樹脂部
２２３・・・第二樹脂領域Ａ
２２４・・・第二樹脂領域Ｂ
２３０・・・衝撃吸収部材
２４０・・・最表面層
２５２・・・境界溝
２５４・・・サイズ調整線
２５６・・・溝
２５８・・・ベンチレーション
３００・・・右足骨格
３１０・・・趾骨
３１２・・・末節骨
３１４・・・中節骨
３１６・・・基節骨
３２０・・・中足骨
３３０・・・足根骨
３３１・・・第一楔状骨
３３２・・・第二楔状骨
３３３・・・第三楔状骨
３３４・・・立方骨
３３５・・・舟状骨
３３６・・・距骨
３３７・・・踵骨
３４０・・・リスフラン関節
３５０・・・ショパール関節
３５２・・・距骨関節
３５４・・・踵立方関節
【図１】
2020141892.tif 000003
【図２】
2020141892.tif 000004
【図３】
2020141892.tif 000005
【図４】
2020141892.tif 000006
【図５】
2020141892.tif 000007
【図６】
2020141892.tif 000008
【図７】
2020141892.tif 000009